【手続補正書】
【提出日】平成18年12月5日(2006.12.5)
【手続補正１】
【補正対象書類名】明細書
【補正対象項目名】特許請求の範囲
【補正方法】変更
【補正の内容】
【特許請求の範囲】
【請求項１】  導電性支持体上に感光層を有する電子写真感光体あるいは感光層及び保護層を有する電子写真感光体において、
該感光層又は保護層が、反応性の官能基を有する添加剤又は該添加剤を重合した化合物の少なくとも一方を含有することを特徴とする電子写真感光体。
【請求項２】  前記反応性の官能基を有する添加剤が、連鎖重合性官能基を有する添加剤である請求項１に記載の電子写真感光体。
【請求項３】  前記感光層が、前記添加剤以外の反応性の官能基を有する化合物又は該化合物を重合した化合物の少なくとも一方を含有する請求項１又は２に記載の電子写真感光体。
【請求項４】  前記添加剤以外の反応性の官能基を有する化合物が、前記添加剤以外の連鎖重合性官能基を有する化合物である請求項１乃至３のいずれかに記載の電子写真感光体。
【請求項５】  導電性支持体上に電荷発生層及び電荷輸送層をこの順に設けてなる電子写真感光体であって、該電荷輸送層が該電子写真感光体の最表面層である電子写真感光体において、
該電荷輸送層が、
連鎖重合性官能基を有する添加剤と、該添加剤以外の連鎖重合性官能基を有する化合物とを含有する溶液を該電荷発生層上に塗布し、これを重合硬化させることによって形成した層
であることを特徴とする電子写真感光体。
【請求項６】  導電性支持体上に電荷発生層、電荷輸送層及び保護層をこの順に設けてなる電子写真感光体であって、該保護層が該電子写真感光体の最表面層である電子写真感光体において、
該保護層が、
連鎖重合性官能基を有する添加剤と、該添加剤以外の連鎖重合性官能基を有する化合物とを含有する溶液を該電荷輸送層上に塗布し、これを重合硬化させることによって形成した層
であることを特徴とする電子写真感光体。
【請求項７】  前記添加剤以外の連鎖重合性官能基を有する化合物が、同一分子内に２つ以上の連鎖重合性官能基を有する正孔輸送性化合物である請求項４乃至６のいずれかに記載の電子写真感光体。
【請求項８】  前記同一分子内に２つ以上の連鎖重合性官能基を有する正孔輸送性化合物が、下記一般式（９）で示される化合物である請求項７に記載の電子写真感光体。
【化１】
2001166510.tif 000001
（一般式（９）中、Ａは正孔輸送性基を示す。Ｐ１及びＰ２は連鎖重合性官能基を示す。Ｐ１とＰ２は同一でも異なっても良い。Ｚは置換基を有しても良い有機基を示す。ａ、ｂ及びｄは０又は１以上の整数を示し、ａ＋ｂ×ｄは２以上の整数を示す。また、ａが２以上の場合Ｐ１は同一でも異なっても良く、ｄが２以上の場合Ｐ２は同一でも異なっても良く、またｂが２以上の場合、Ｚ及びＰ２は同一でも異なっても良い。）
【請求項９】  前記添加剤が、下記一般式（１）で示される不飽和重合性官能基を有する添加剤である請求項１乃至８のいずれかに記載の電子写真感光体。
【化２】
2001166510.tif 000002
（一般式（１）中、Ｌ１は水素原子、ハロゲン原子、置換基を有しても良いアルキル基、置換基を有しても良いアリール基、シアノ基、ニトロ基、アルコキシ基、−ＣＯＯＲＸ｛ＲＸは水素原子、ハロゲン原子、置換基を有しても良いアルキル基、置換基を有しても良いアラルキル基又は置換基を有しても良いアリール基｝又は−ＣＯＮＲＹＲＺ｛ＲＹ及びＲＺは水素原子、ハロゲン原子、置換基を有しても良いアルキル基、置換基を有しても良いアラルキル基又は置換基を有しても良いアリール基を示し、互いに同一であっても異なっていてもよい｝を示す。Ｍ１は置換基を有しても良いアリーレン基、置換基を有しても良いアルキレン基、−ＣＯＯ−、−ＣＨ２−、−Ｏ−、−ＯＯ−、−Ｓ−又は−ＣＯＮＲＷ−｛ＲＷは水素原子、ハロゲン原子、置換基を有しても良いアルキル基、置換基を有しても良いアラルキル基又は置換基を有しても良いアリール基｝を示す。Ｊ１は置換基を有しても良い有機基を示す。ｌ１及びｌ２はそれぞれ独立に０以上の整数を示す。また、ｌ１及びｌ２が２以上の整数である場合、Ｍ１及びＪ１はそれぞれが同一でも異なっていてもよい。）
【請求項１０】  前記不飽和重合性官能基が、下記一般式（２）で示される不飽和重合性官能基である請求項９に記載の電子写真感光体。
【化３】
2001166510.tif 000003
（一般式（２）中、Ｌ２は水素原子又はメチル基を示す。Ｍ２は置換基を有しても良いアリーレン基、置換基を有しても良いアルキレン基、−ＣＯＯ−又は−Ｏ−を示す。Ｊ２は置換基を有しても良い有機基を示す。ｌ３及びｌ４はそれぞれ独立に０以上の整数を示す。また、ｌ３及びｌ４が２以上の整数である場合、Ｍ２及びＪ２はそれぞれが同一でも異なっていてもよい。）
【請求項１１】  前記不飽和重合性官能基が、下記一般式（３）で示される不飽和重合性官能基あるいは下記一般式（４）で示される不飽和重合性官能基である請求項１０に記載の電子写真感光体。
【化４】
2001166510.tif 000004
（一般式（３）及び（４）中、Ｊ３及びＪ４は置換基を有しても良い有機基を示す。ｌ５及びｌ６はそれぞれ独立に０以上の整数を示す。また、ｌ５及びｌ６が２以上の整数である場合、Ｊ３及びＪ４はそれぞれが同一でも異なっていてもよい。）
【請求項１２】  前記不飽和重合性官能基が、下記一般式（５）で示される不飽和重合性官能基あるいは下記一般式（６）で示される不飽和重合性官能基である請求項１０に記載の電子写真感光体。
【化５】
2001166510.tif 000005
（一般式（５）及び（６）中、Ｊ５及びＪ６は置換基を有しても良い有機基を示す。ｌ７及びｌ８はそれぞれ独立に０以上の整数を示す。また、ｌ７及びｌ８が２以上の整数である場合、Ｊ５及びＪ６はそれぞれが同一でも異なっていてもよい。）
【請求項１３】  前記不飽和重合性官能基が、下記一般式（７）で示される不飽和重合性官能基あるいは下記一般式（８）で示される不飽和重合性官能基である請求項１０に記載の電子写真感光体。
【化６】
2001166510.tif 000006
（一般式（７）及び（８）中、Ｊ７及びＪ８は置換基を有しても良い有機基を示す。ｌ９及びｌ１０はそれぞれ独立に０以上の整数を示す。また、ｌ９及びｌ１０が２以上の整数である場合、Ｊ７及びＪ８はそれぞれが同一でも異なっていてもよい。）
【請求項１４】  前記添加剤中の前記一般式（１）で示される連鎖重合性官能基以外の構成元素が、炭素、水素、酸素、フッ素及び珪素からなる群より選ばれる少なくとも２つの元素である請求項９乃至１３のいずれかに記載の電子写真感光体。
【請求項１５】  前記添加剤が、前記一般式（１）で示される連鎖重合性官能基以外に炭素−炭素二重結合を有しない請求項９乃至１４のいずれかに記載の電子写真感光体。
【請求項１６】  前記添加剤が、連鎖重合性官能基及びフッ素原子を有する添加剤である請求項１乃至１５のいずれかに記載の電子写真感光体。
【請求項１７】  前記添加剤が、連鎖重合性官能基及び珪素原子を有する添加剤である請求項１乃至１５のいずれかに記載の電子写真感光体。
【請求項１８】  前記重合が電子線によって行われる重合である請求項１乃至１７のいずれかに記載の電子写真感光体。
【請求項１９】  前記電子線の加速電圧が３００ｋＶ以下である請求項１８に記載の電子写真感光体。
【請求項２０】  前記電子線の線量が０．５〜１００Ｍｒａｄである請求項１８又は１９に記載の電子写真感光体。
【請求項２１】  請求項１乃至２０のいずれかに記載の電子写真感光体と、該電子写真感光体を帯電させる帯電手段、該電子写真感光体上に形成された静電潜像をトナーで現像する現像手段、及び、転写工程後の該電子写真感光体上に残余するトナーを回収するクリーニング手段からなる群より選ばれる少なくとも１つの手段とを共に一体に支持し、電子写真装置本体に着脱自在であることを特徴とするプロセスカートリッジ。
【請求項２２】  請求項１乃至２０のいずれかに記載の電子写真感光体、該電子写真感光体を帯電させる帯電手段、帯電した該電子写真感光体に対して露光を行い該電子写真感光体上に静電潜像を形成する露光手段、該電子写真感光体上に形成された静電潜像をトナーで現像する現像手段、及び、該電子写真感光体上のトナー像を転写材上に転写する転写手段を備えることを特徴とする電子写真装置。
【手続補正２】
【補正対象書類名】明細書
【補正対象項目名】０２０３
【補正方法】変更
【補正の内容】
【０２０３】
電子線照射をする場合、加速器としてはスキャニング型、エレクトロカーテン型、ブロードビーム型、パルス型及びラミナー型等いずれの形式も使用することができる。電子線を照射する場合に、本発明の電子写真感光体においては、電気特性及び耐久性能を発現させる上で照射条件が非常に重要である。本発明において、加速電圧は３００ｋＶ以下が好ましく、最適には１５０ｋＶ以下である。また線量は、好ましくは０．５Ｍｒａｄ〜１００Ｍｒａｄの範囲、より好ましくは１Ｍｒａｄ〜５０Ｍｒａｄの範囲である。加速電圧が３００ｋＶを超えると感光体特性に対する電子線照射のダメージが増加する傾向にある。また、線量が０．５Ｍｒａｄよりも少ない場合には硬化が不十分となり易く、線量が１００Ｍｒａｄより多い場合には感光体特性の劣化がおこり易いので注意が必要である。
【手続補正３】
【補正対象書類名】明細書
【補正対象項目名】０２１７
【補正方法】変更
【補正の内容】
【０２１７】
次いで、化合物例Ｎｏ．６の正孔輸送性化合物６０部及び下記構造式（Ｂ）のフッ素系添加剤３部をモノクロロベンゼン３０部／ジクロロメタン３０部の混合溶媒中に溶解し、電荷輸送層用塗料を調製した。この塗料を前記の電荷発生層上にコーティングし、加速電圧１５０ｋＶ、線量２０Ｍｒａｄの条件で電子線を照射し樹脂を硬化することによって、膜厚が１５μｍの電荷輸送層を形成し、電子写真感光体を作製した。
【手続補正４】
【補正対象書類名】明細書
【補正対象項目名】０２３３
【補正方法】変更
【補正の内容】
【０２３３】
次いで、化合物例Ｎｏ．６の正孔輸送性化合物５０部及び下記構造式（Ｉ）で示されるアクリルモノマー１０部、構造式（Ｂ）で示されるフッ素系添加剤６部をモノクロロベンゼン５０部／ジクロロメタン３０部の混合溶媒中に溶解し、表面保護層用塗料を調製した。この塗料をスプレーコーティング法により先の電荷輸送層上に塗布し、加速電圧１５０ｋＶ、線量２０Ｍｒａｄの条件で電子線を照射し樹脂を硬化することによって、膜厚が５μｍの表面保護層を形成し、電子写真感光体を得た。
【手続補正５】
【補正対象書類名】明細書
【補正対象項目名】０２３７
【補正方法】変更
【補正の内容】
【０２３７】
次に、保護層用の塗工液を下記の工程で調製した。平均粒径０．０２μｍのアンチモン含有酸化スズ微粒子（商品名：Ｔ−１、三菱マテリアル（株）製）１０部及びメタノール５０部を混合してサンドミルで９６時間分散し、その後、構造式（Ｉ）で示されるアクリルモノマー１０部及び構造式（Ｂ）のフッ素系添加剤１部を混合した。前記塗工液を電荷輸送層上に塗布し、加速電圧１５０ｋＶ、線量２０Ｍｒａｄの条件で電子線を照射した。このときの保護層の膜厚は３μｍであった。以上で得られた電子写真感光体を実施例１と同様にして評価した。結果を表５に示す。